(57)【要約】【課題】簡単な処理で迅速にストライプ配列の画像データを、ベイヤ配列の画像データに変換する。【解決手段】左からＲ、Ｇ、Ｇ、Ｂの順番でフィルタが並び１周期を形成するストライプ配列のフィルタアレイを搭載し撮像素子に用いる。この撮像素子において、上側のラインからライン毎に左端から右端へと画素データを読み出す。読み出された画素データをベイヤ配列の２行２列、４画素の単位パターンの左上、左下、右上、右下の画素に対応するメモリに順次格納する。【選択図】図２
2015088970.tif 000002
【特許請求の範囲】
【請求項１】
ＲフィルタおよびＢフィルタをそれぞれ１画素分、Ｇフィルタを２画素分１列に並べた配列を１周期とするストライプ配列の２次元フィルタアレイを搭載する第１撮像素子と、
前記第１撮像素子から順次入力される１周期分のＲＧＢ画素信号を、ＲＧＢベイヤ配列の単位パターンを構成する２行２列の４画素の各色に対応するアドレスへ順次出力する手段と
を備えることを特徴とするＲＧＢ画像信号処理装置。
【請求項２】
前記ストライプ配列の１周期を構成するフィルタ列が、Ｒ、Ｇ、Ｇ、Ｂの順で並ぶフィルタから構成され、前記第１撮像素子から読み出される画素データが、ＲＧＢベイヤ配列の左上、左下、右上、右下の順でＲＧＢベイヤ配列の画素データを構成するように、または、ＲＧＢベイヤ配列の左上、右上、左下、右下の順でＲＧＢベイヤ配列の画素データを構成するようにメモリに格納されることを特徴とする請求項１に記載のＲＧＢ画像信号処理装置。
【請求項３】
前記メモリへの転送アドレスを指定するために、画素データが読み出される毎に１インクリメントされるアドレスカウンタを備え、最初に読み出される画素データに対しては、前記メモリへの転送アドレスとしてデフォルトで設定されている直値が前記アドレスカウンタに設定され、その後入力画素データが奇数列に対応するときは、転送アドレスを＋１ライン分シフトするとともに１デクリメントし、偶数列に対応するときは、転送アドレスを−１ライン分シフトすることを特徴とする請求項２に記載のＲＧＢ画像信号処理装置。
【請求項４】
前記ストライプ配列の１周期を構成するフィルタ列が、Ｒ、Ｇ、Ｂ、Ｇの順で並ぶフィルタから構成され、前記第１撮像素子から読み出される画素データが、ＲＧＢベイヤ配列の左上、右上、右下、左下の順でＲＧＢベイヤ配列の画素データを構成するようにメモリに格納されることを特徴とする請求項１に記載のＲＧＢ画像信号処理装置。
【請求項５】
前記メモリへの転送アドレスを指定するために、画素データが読み出される毎に１インクリメントされるアドレスカウンタを備え、最初に読み出される第１画素データに対しては、前記メモリへの転送アドレスとしてデフォルトで設定されている直値がアドレスカウンタに設定され、次に読み出される第２画素データに対しては、前記アドレスカウンタを通常通り１インクリメントし、第３画素データに対しては、前記アドレスカウンタを通常通り１インクリメントした後、＋１ライン分シフトするとともに２デクリメントし、第４画素データに対しては、前記アドレスカウンタを通常通り１インクリメントし、第５画素データに対しては、前記アドレスカウンタを通常通り１インクリメントした後、−１ライン分シフトし、以後前記第２〜第５画素データに対する処理を繰り返すことを特徴とする請求項４に記載のＲＧＢ画像信号処理装置。
【請求項６】
請求項１〜請求項５の何れかに記載されるＲＧＢ画像信号処理装置を搭載するデジタルカメラであって、更に
ベイヤ配列のフィルタアレイを搭載する第２撮像素子と、
前記第１撮像素子からの画像信号および前記第２撮像素子からの画像信号の何れか一方を選択し出力するセレクタとを備え、
前記セレクタにおいて、前記第１撮像素子からの画像信号は測光時に選択され、前記第２撮像素子からの画像信号はレリーズ操作時に選択される
ことを特徴とするデジタルカメラ。
【請求項７】
ＲフィルタおよびＢフィルタをそれぞれ１画素分、Ｇフィルタを２画素分１列に並べた配列を１周期とするストライプ配列の２次元フィルタアレイを搭載する第１撮像素子から画像信号を入力し、
前記第１撮像素子から順次入力される１周期分のＲＧＢ画素信号を、ＲＧＢベイヤ配列の単位パターンを構成する２行２列の４画素の各色に対応するアドレスへ順次出力する
ことを特徴とするＲＧＢ画像信号処理方法。
【発明の詳細な説明】
【技術分野】
【０００１】
本発明は、非ベイヤ配列のフィルタアレイを搭載した撮像素子からの画像信号をベイヤ配列に対応する画像信号に変換する装置および方法に関する。
【背景技術】
【０００２】
単板式撮像素子には、ＲＧＢベイヤ配列が広く採用されているが、フィルタアレイとしては、ＲＧＢベイヤ配列以外にも様々な配列が存在する。ＲＧＢベイヤ配列以外の撮像素子を用いる場合、その後の信号処理も採用されたフィルタアレイに対応した処理としなければならない。そのためＲＧＢベイヤ配列以外のフィルタアレイを採用する場合、ＲＧＢベイヤ配列用に用意された汎用の信号処理装置を用いることはできず、コスト高となる。
【０００３】
このような問題に対しては、ＲＧＢ以外の色フィルタ、例えばマゼンタ、シアン、イエロ、ブラック、ホワイトなどのフィルタも含むフィルタアレイを搭載した撮像素子を採用した場合にも、ＲＧＢベイヤ配列用の汎用信号処理装置を使用できるようにする発明が提案されている（特許文献１参照）。同発明の画像信号処理装置では、撮像素子からの画素信号が、ベイヤ配列と同一の色の場合には、そのまま画素信号を出力し、異なる場合には、周辺の複数の画素の画素信号を利用して対応するベイヤ配列の色信号を生成している。
【先行技術文献】
【特許文献】
【０００４】
【特許文献１】特開２０１１−０６６８９０号公報
【発明の概要】
【発明が解決しようとする課題】
【０００５】
一方、近年の高機能カメラでは、撮影用の撮像素子の他に、測光用のＲＧＢ撮像素子を搭載するものが知られている。しかし測光の用途では、ＲＧＢベイヤ配列よりもストライプ配列のＲＧＢフィルタアレイの方が例えば画素加算などの点で有利である。そのため、撮影用撮像素子にＲＧＢベイヤ配列を採用するとともに、測光用撮像素子にＲＧＢストライプ配列を用いることが考えられる。その場合、両撮像素子に対して別々の画像信号処理系を用意する必要があり、コスト的、スペース的に不利になる。測光用撮像素子に対して、特許文献１の画像信号処理装置を介在させ、その後の処理系を撮影用撮像素子と共用することも考えられるが、特許文献１で想定されるフィルタアレイは、撮影用のものであり、ＲＧＢベイヤ配列に合わせた画像信号を生成するには周辺の複数の画素の画素信号を合成する必要があり処理が複雑となる。
【０００６】
本発明は、簡単な処理で迅速にストライプ配列の画像データを、ベイヤ配列の画像データに変換する方法、および装置を得ることを目的としている。
【課題を解決するための手段】
【０００７】
本発明のＲＧＢ画像信号処理装置は、ＲフィルタおよびＢフィルタをそれぞれ１画素分、Ｇフィルタを２画素分１列に並べた配列を１周期とするストライプ配列の２次元フィルタアレイを搭載する第１撮像素子と、第１撮像素子から順次入力される１周期分のＲＧＢ画素信号を、ＲＧＢベイヤ配列の単位パターンを構成する２行２列の４画素の各色に対応するアドレスへ順次出力する手段とを備えたことを特徴としている。
【０００８】
ストライプ配列の１周期を構成するフィルタ列が、Ｒ、Ｇ、Ｇ、Ｂの順で並ぶフィルタから構成され、第１撮像素子から読み出される画素データは、ＲＧＢベイヤ配列の左上、左下、右上、右下の順でＲＧＢベイヤ配列の画素データを構成するように、メモリに格納される。またこのとき、ＲＧＢ画像信号処理装置は、メモリへの転送アドレスを指定するために画素データが読み出される毎に１インクリメントされるアドレスカウンタを備え、最初に読み出される画素データに対しては、メモリへの転送アドレスとしてデフォルトで設定されている直値をアドレスカウンタに設定し、その後入力画素データが奇数列に対応するときは、転送アドレスを＋１ライン分シフトするとともに１デクリメントし、偶数列に対応するときは、転送アドレスを−１ライン分シフトする。
【０００９】
また上記フィルタ配列において、第１撮像素子から読み出される画素データは、ＲＧＢベイヤ配列の左上、右上、左下、右下の順でＲＧＢベイヤ配列の画素データを構成するようにメモリに格納されてもよい。このときには、最初に読み出される第１画素データに対しては、前記メモリへの転送アドレスとしてデフォルトで設定されている直値をアドレスカウンタに設定し、次に読み出される第２画素データに対しては、アドレスカウンタを通常通り１インクリメントし、第３画素データに対しては、アドレスカウンタを通常通り１インクリメントした後、＋１ライン分シフトするとともに２デクリメントし、第４画素データに対しては、アドレスカウンタを通常通り１インクリメントし、第５画素データに対しては、アドレスカウンタを通常通り１インクリメントした後、−１ライン分シフトし、以後上記第２〜第５画素データに対する処理を繰り返す。
【００１０】
またストライプ配列の１周期を構成するフィルタ列は、Ｒ、Ｇ、Ｂ、Ｇの順で並ぶフィルタから構成されてもよく、このとき第１撮像素子から読み出される画素データは、ＲＧＢベイヤ配列の左上、右上、右下、左下の順でＲＧＢベイヤ配列の画素データを構成するようにメモリに格納される。
【００１１】
また本発明のデジタルカメラは、上記ＲＧＢ画像信号処理装置を搭載するデジタルカメラであって、更にベイヤ配列のフィルタアレイを搭載する第２撮像素子と、第１撮像素子からの画像信号および第２撮像素子からの画像信号の何れか一方を選択し出力するセレクタとを備え、セレクタにおいて、第１撮像素子からの画像信号は測光時に選択され、第２撮像素子からの画像信号はレリーズ操作時に選択されることを特徴としている。
【００１２】
更に本発明のＲＧＢ画像信号処理方法は、ＲフィルタおよびＢフィルタをそれぞれ１画素分、Ｇフィルタを２画素分１列に並べた配列を１周期とするストライプ配列の２次元フィルタアレイを搭載する第１撮像素子から画像信号を入力し、第１撮像素子から順次入力される１周期分のＲＧＢ画素信号を、ＲＧＢベイヤ配列の単位パターンを構成する２行２列の４画素の各色に対応するアドレスへ順次出力することを特徴としている。
【発明の効果】
【００１３】
本発明によれば、簡単な処理で迅速にストライプ配列の画像データを、ベイヤ配列の画像データに変換する方法、および装置を得ることができる。
【図面の簡単な説明】
【００１４】
【図１】本実施形態の画像データ圧縮装置における画像データの流れを示すブロック図である。
【図２】第１実施形態のストライプ配列の配置と、ベイヤ配列への並べ替えの順序を示す図である。
【図３】第２実施形態のストライプ配列の配置と、ベイヤ配列への並べ替えの順序を示す図である。
【図４】第３実施形態のストライプ配列の配置と、ベイヤ配列への並べ替えの順序を示す図である。
【発明を実施するための形態】
【００１５】
以下、本発明の実施の形態を、図面を参照して説明する。図１は、本発明の第１実施形態である画像信号処理装置を搭載したデジタルカメラにおける画像データの流れを示すブロック図である。
【００１６】
本実施形態のデジタルカメラ１０は、撮影用のベイヤ配列の撮像素子１１と、測光用のストライプ配列の撮像素子１２を備える。撮像素子１１、１２から出力される画像信号は、それぞれイメージセンサＩ／Ｆ（インターフェース）１３、１４を介してデジタル画像データに変換される。撮影用撮像素子１１からの画像信号は、イメージセンサＩ／Ｆ１３を介した後、セレクタ１５に入力される。一方、測光用撮像素子１２からの画像信号は、イメージセンサＩ／Ｆ１４を介した後、一旦、並び替え回路１６へ入力され、その後、並べ替え回路１６からセレクタ１５へと出力される。
【００１７】
セレクタ１５は、撮影用撮像素子１１、測光用撮像素子１２からのデジタル画像信号のうち一方を、デジタル信号処理回路１７へ択一的に出力する。すなわち、測光時には測光用撮像素子１２からの画像信号を出力し、例えばレリーズ操作がなされると撮影用撮像素子１１からの画像信号を必要な画面分出力する。
【００１８】
デジタル信号処理回路１７は、例えば黒レベル補正ユニット１８、ＡＥ検波ユニット１９、デジタルゲインユニット２０、画素補間ユニット２１、圧縮処理ユニット２２を備え、ＳＤＲＡＭなどのメモリ２３に接続される。メモリ２３は、ＳＤカードなどのカードメモリに対応するインターフェース（ＳＤカードＩ／Ｆ）２４に接続され、メモリカード（ＳＤカード）２５へと画像データを出力して保存することが可能である。またメモリ２３からは図示しないモニタ装置などへ画像データを出力可能である。
【００１９】
セレクタ１５からデジタル信号処理回路１７へ入力されるデジタル画像データは、まず黒レベル補正ユニット１８においてオプティカルブラック（ＯＢ）データのオフセットが減算され黒レベル補正が行われる。黒レベル補正が行われたデジタル画像データは、ＡＥ検波ユニット１９およびデジタルゲインユニット２０へと出力される。ＡＥ検波ユニット１９では、ホワイトバランス用のデータが検出され、メモリ（ＳＤＲＡＭ）２３に保持される。また、デジタルゲインユニット２０では、設置された所定の倍率でデジタル画像データが増幅され、増幅されたデジタル画像データはＲＡＷ画像データとしてメモリ（ＳＤＲＡＭ）２３に一時的に保持される。
【００２０】
デジタルゲインユニット２０を介してメモリ（ＳＤＲＡＭ）２３に一時的に保持されたデジタル画像データ（ＲＡＷデータ）は、画素補間ユニット２１へ送られ、ベイヤ配列に対応する色補間が行われるとともに、圧縮処理ユニット２２へと送られ、所定の方法で圧縮（例えばハフマン圧縮）され、メモリ（ＳＤＲＡＭ）２３に圧縮ＲＡＷデータとして保持される。またメモリ（ＳＤＲＡＭ）２３に保持された圧縮ＲＡＷデータは、必要に応じてＳＤカードＩ／Ｆ２４を介してＳＤカード２５に保存される。
【００２１】
なお、セレクタ１５から出力され、デジタル信号処理回路１７の画素補間ユニット２１に到るまでの間の画像データは、ベイヤ配列のデータとして処理される。
【００２２】
次に、図２を参照して、第１実施形態の並べ替え回路１６において実行される並べ替え処理について説明する。
【００２３】
図２の最上部には、第１実施形態の測光用撮像素子１２に搭載されるＲＧＢストライプ配列の縦２段、横２周期分が示される。第１実施形態のＲＧＢストライプ配列では、基本パターンとなる１周期は、横（水平）方向へ左から順にＲフィルタ、Ｇフィルタ、Ｇフィルタ、Ｂフィルタと並ぶ４画素で構成される。
【００２４】
図２では、１段目の各フィルタ（画素）が左端からＲ００、Ｇ０１、Ｇ０２、Ｂ０３、Ｒ０４、Ｇ０５、Ｇ０６、Ｂ０７、…として参照され、２段目の各フィルタ（画素）が左からＲ１０、Ｇ１１、Ｇ１２、Ｂ１３、Ｒ１４、Ｇ１５、Ｇ１６、Ｂ１７、…として参照される。すなわち、Ｒ、Ｇ、Ｂに続く最初の数値はその画素が含まれるラインの上からの行番号を示し、２番目の数値は、左端からの列番号を示す。
【００２５】
ベイヤ配列は、周知のように２行２列の４画素を基本パターンとし、４画素にはＲ、Ｂフィルタが各１画素分、Ｇフィルタが２画素分含まれる。例えば本実施形態の撮影用撮像素子１１では、上段が左からＲ、Ｇ、下段が左からＧ、Ｂの順で配置されている。ベイヤ配列の撮影用撮像素子１１からは、上下１対の偶奇ラインの同じ列の画素データが同時に読み出され、並列にセレクタ１５を介してデジタル信号処理回路１７へ入力される。
【００２６】
これに対して図２のストライプフィルタ配列を搭載した本実施形態の測光用撮像素子１２では、１段目のラインから下のラインへ、ライン毎に左端から右端へと画素データが順次読み出される。そのため、この画像データをデジタル信号処理回路１７へそのまま出力すると、ベイヤ配列の画像データとは異なる処理をする必要が発生する。
【００２７】
そのため本実施形態では、並べ替え回路１６に例えば全画素分のバッファメモリを設け、撮像素子１２から読み出される画素データをベイヤ配列に合わせてバッファメモリに一旦保持し、セレクタ１５へはベイヤ配列に合わせた方法で画素データを出力する。
【００２８】
すなわちバッファメモリへの格納先を指定するアドレスカウンタは、通常画素データが入力される度に１インクリメントされ、これは測光用撮像素子１２から順番に読み出されるストライプ配列の画素の位置に対応している。しかし、本実施形態では、以下の手順で転送先アドレスを修正し、バッファメモリにはベイヤ配列に対応した順番で画素データが保持される。そして並べ替え回路１６のバッファメモリからは、ベイヤ配列の撮像素子のときと同様に、上下一対の画素データ（Ｒ，Ｇ）または（Ｇ，Ｂ）が順次セレクタ１５へ並列に出力される。
【００２９】
第１実施形態では、例えば、測光用撮像素子１２からの最初の画素データについては、バッファへの転送アドレスとしてデフォルトで設定されている直値（最も左上画素に対応）が指定される（ステップ１）。その後アドレスカウンタは、画素データが入力される度に＋１ずつインクリメントされるが、入力画素データが奇数列に対応するときは、転送アドレスを＋１ライン分シフトするとともに１デクリメント（−１）し、偶数列に対応するときは、転送アドレスを−１ライン分シフトする。
【００３０】
上記アドレス処理により、ストライプ配列の撮像素子１２からＲ００、Ｇ０１、Ｇ０２、Ｂ０３、Ｒ０４、Ｇ０５、Ｇ０６、Ｂ０７、…、Ｒ１０、Ｇ１１、Ｇ１２、Ｂ１３、Ｒ１４、Ｇ１５、Ｇ１６、Ｂ１７、…の順番で読み出される画素データは、図２のステップ２〜ステップ８に示されるようにベイヤ配列に対応してバッファメモリに格納され、最終ステップでは、バッファメモリ空間内に、ベイヤ配列に対応する画像データが生成される。すなわち、第１実施形態では、図２のストライプ配列ＲＧＧＢに従って読み出される画素データが、ベイヤ配列の基本パターンの４画素を左上、左下、右上、右下の順で構成するようにバッファメモリの転送アドレス（アドレスカウンタ）が制御される。
【００３１】
以上のように、第１実施形態によれば、最初の画素についてのみ例外処理（ステップ１）を行い、その後は読み出される画素データが奇数列のときにアドレスカウンタを＋１ライン分シフト、１デクリメント（−１）し、偶数列のときに−１ライン分シフトするだけで極めて簡略、迅速にベイヤ配列に対応する画像データが得られる。そして、これにより以後の処理はベイヤ配列を用いた撮影用撮像素子と共用できる。
【００３２】
次に図３を参照して、本発明の第２実施形態について説明する。第２実施形態は、アドレスカウンタの修正の仕方が第１実施形態と異なるのみで、その他の構成（特にストライプ配列）は第１実施形態と同様である。すなわち、第１実施形態では、ストライプ配列の１周期に２つあるＧフィルタをベイヤ配列の左下、右下の順でバッファメモリに格納したが、第２実施形態では右上、左下の順で格納する。
【００３３】
第１実施形態では、最初の１画素についてのみ例外処理を行い、その後は奇数列、偶数列に応じた処理が行われた。しかし、第２実施形態では、ベイヤ配列の基本パターンの右上のＧフィルタを格納した後、左下のＧフィルタの順でデータを格納することから、右上から左下へ移るときと、次の基本パターンに対応する画素データを格納するため前の基本パターンの右下の画素から次の基本パターンの左上の画素へ移るときに例外処理が行われ、アドレスカウンタが修正される。
【００３４】
具体的に図３のステップ１〜ステップ８について説明すると、ステップ１では転送アドレスとしてデフォルトで設定されている直値（最も左上画素に対応）が指定され、ステップ２では、通常通りアドレスカウンタが１インクリメント（＋１）される。ステップ３では、アドレスカウンタが１インクリメント（＋１）された後、更に＋１ライン分シフトされ、２デクリメント（−２）される。そして、ステップ４では、通常通りアドレスカウンタが１インクリメント（＋１）され、ベイヤ配列の最初の基本パターンを構成する４画素分の画素データが並び替え回路１６のバッファメモリに格納される。
【００３５】
次に、ステップ５では、アドレスカウンタが１インクリメント（＋１）された後、更に−１ライン分シフトされ、ベイヤ配列の２番目の基本パターンを構成する最初の画素（左上の画素）に対応する転送アドレスが指定される。以下同様に、ステップ６では、通常通りアドレスカウンタが１インクリメント（＋１）され、ステップ７では、ステップ３と同様にアドレスカウンタが＋１デクリメントされるとともに、＋１ライン分シフトされ、更に２デクリメント（−２）される。そしてステップ８において、ステップ４と同様に、アドレスカウンタが１インクリメント（＋１）され、ベイヤ配列の２番目の基本パターンを構成する４画素分の画素データ全てがバッファメモリに格納される。以下同様にアドレスカウンタを制御することで、最終ステップでは、ベイヤ配列に対応する１画面分の画像データが並べ替え回路１６のバッファメモリに格納される。
【００３６】
以上のように、第２実施形態では、図３のストライプ配列ＲＧＧＢに従って読み出される画素データの転送アドレス（アドレスカウンタ）を制御して、画素データを左上、右上、左下、右下の順でバッファメモリに格納することで、ベイヤ配列の画像データを生成している。以上のように第２実施形態においても第１実施形態と略同様の効果が得られる。
【００３７】
次に、図４を参照して、本発明の第３実施形態について説明する。第３実施形態では、測光用撮像素子のストライプ配列が第１、第２実施形態と異なるとともに、アドレスカウンタの修正の仕方が異なる。しかし、その他の構成は第１、２実施形態と同様である。
【００３８】
第３実施形態のストライプ配列の基本周期は、第１、第２実施形態と同様にＲフィルタ１画素分、Ｇフィルタ２画素分、Ｂフィルタ１画素分からなるが、その順番は左からＲ、Ｇ、Ｂ、Ｇの順である。なおフィルタの配置は、図４の最上部に２周期、２段分が示される。
【００３９】
図４のステップ１〜ステップ８について説明すると、ステップ１では第１、第２実施形態と同様に転送アドレスとしてデフォルトで設定されている直値（最も左上画素に対応）が指定され、ステップ２では、通常通りアドレスカウンタが１インクリメント（＋１）される。ステップ３では、アドレスカウンタが１インクリメント（＋１）された後、更に＋１ライン分シフトされ、１デクリメント（−１）される。そして、ステップ４では、通常通りアドレスカウンタが１インクリメント（＋１）された後、２デクリメント（−２）される。すなわち、ストライプ配列ＲＧＢＧの撮像素子から読み出される画素データは、ベイヤ配列の４画素からなる基本パターンとしてバッファメモリに左上、右上、右下、左下の順で格納される。これにより、最終ステップにおいては、第１、第２実施形態と同様に、並べ替え回路１６のバッファメモリには、ベイヤ配列に対応した１画面分の画像データが格納される。
【００４０】
以上のように第３実施形態においても、第１実施形態および第２実施形態と略同様の効果が得られる。
【００４１】
なお、本実施形態の説明では、並べ替え回路に設けられるバッファメモリは、１画面分のメモリとして説明されたが、バッファメモリは、少なくとも４画素分あればよい。バッファメモリが４画素分しかない場合には、４画素分のうちの画素データが格納された上下２画素分のアドレスから画素データを出力しつつ、残る２画素分のバッファメモリに格納されている１つ前の画素データに、次の上下２画素分の画素データを上書きすればよい。ただし、この場合、ベイヤ基本パターンにおける左側の上下一対の画素データが先に揃う必要があるので、第１、第２実施形態の順番では可能であるが、第３実施形態は適用できない。
【００４２】
また、ベイヤ配列やストライプ配列のパターンや、その格納（転送アドレスの指定）の順番は、本実施形態に限定されない。測光用撮像素子に用いられるストライプ配列は、Ｒフィルタ１画素分、Ｇフィルタ２画素分、Ｂフィルタ１画素分の４画素を１周期として含めばよく、転送アドレスの指定は、ストライプ配列の読み出し１周期で、ベイヤ配列の１基本パターンが構成されればよい。
【符号の説明】
【００４３】
１０  デジタルカメラ
１１  撮影用撮像素子（ベイヤ配列）
１２  測光用撮像素子（ストライプ配列）
１５  セレクタ
１６  並べ替え回路
１７  デジタル信号処理回路
【図１】
2015088970.tif 000003
【図２】
2015088970.tif 000004
【図３】
2015088970.tif 000005
【図４】
2015088970.tif 000006